(57)【要約】【課題】光学フィルタを接着するための接着剤が、撮像素子の受光部に付着することを防止し、接着剤が撮像素子の正確な位置決めを妨げないようにする。【解決手段】回路基板に、受光部２ａを有する撮像素子２及びこの撮像素子を保持するホルダ３を搭載する。ホルダ３に受光部２ａに対向する位置に光学フィルタ４を接着する。光学フィルタ４は、受光部２ａの外形よりも大きい方形であり、受光部２ａの光軸に直交する方向において、受光部２ａの向きと４５度異なる向きに配置する。そして互いに対向する角部に接着剤５を塗布して、ホルダ３の接着部である凹部３ｆに接着する。光学フィルタ４の接着部は、撮像素子２に対向する位置よりも外方に位置しているので、接着剤５を多量に塗付しても受光部２ａ上に流れ落ちることはない。【選択図】      図２
2004312571.tif 000002
【特許請求の範囲】
【請求項１】
回路基板に、受光部を有する撮像素子及びこの撮像素子を保持するホルダが搭載されており、
前記ホルダには、前記受光部に対向する位置に光学フィルタが接着されており、
前記ホルダの前記光学フィルタの接着部は、前記撮像素子に対向する位置よりも外方に位置している
ことを特徴とする固体撮像装置。
【請求項２】
請求項１において、前記光学フィルタは、前記受光部の外形よりも大きい方形に形成してあり、前記受光部の光軸に直交する方向において、前記受光部の向きと異なる向きに配置してあり、その角部で前記ホルダに接着されていることを特徴とする固体撮像装置。
【請求項３】
請求項２において、前記光学フィルタは、正方形状に形成してあり、その互いに対向する角部で前記ホルダに接着してあることを特徴とする固体撮像装置。
【請求項４】
請求項１乃至３のいずれかにおいて、前記ホルダの前記光学フィルタの接着部には、接着剤を塗付するための凹部が設けてあることを特徴とする固体撮像装置。
【発明の詳細な説明】
【０００１】
【発明の属する技術分野】
本発明は、携帯電話機やノート型パソコン等の携帯機器に搭載され、撮像素子を用いて撮像する固体撮像装置に関する。
【０００２】
【従来の技術】
従来の固体撮像装置の一例として、下記の特許文献１には、基板上に撮像素子が設けられ、この撮像素子を包囲するようにレンズを保持するホルダが搭載されている。このホルダに光学フィルタが、撮像素子と対向するように接着されている。光学フィルタは、撮像素子の受光部と同じように、長方形形状または正方形形状であって若干大きな形状であり、受光部の光軸に直交する方向において受光部と同じ向きに配置して接着されている。光学フィルタを接着するための接着剤は、光学フィルタの上面外周部に塗布されてホルダに接着されるようになっている。
【０００３】
【特許文献１】
特開２００２−３７４４３８号公報
【０００４】
【発明が解決しようとする課題】
前記の特許文献１のものでは、光学フィルタの上面外周部に接着剤を塗布してホルダに接着するものであり、接着強度を向上させるために接着剤が多量に塗付されると、接着剤が撮像素子の受光部の上に流れ落ちて付着するという問題点がある。また、接着剤がホルダの内壁を伝って流れると、撮像素子を収納する凹部に流入することがあり、この場合には撮像素子が正確に位置決めできなくなるという問題点がある。
【０００５】
そこで本発明は、光学フィルタを接着するのに用いられる接着剤が、撮像素子の受光部に付着することを防止し、接着剤により撮像素子が正確に位置決めできなくなることを防止可能な固体撮像装置を提供することを目的とする。
【０００６】
【課題を解決するための手段】
本発明の固体撮像装置は、回路基板に、受光部を有する撮像素子及びこの撮像素子を保持するホルダが搭載されており、前記ホルダには、前記受光部に対向する位置に光学フィルタが接着されている。前記ホルダの前記光学フィルタの接着部は、前記撮像素子に対向する位置よりも外方に位置していることを特徴としている。このために光学フィルタを接着する際に、接着剤が流れ落ちたとしても受光部に付着することはない。
【０００７】
前記光学フィルタは、前記受光部の外形よりも大きい方形に形成してあり、前記受光部の光軸に直交する方向において、前記受光部の向きと異なる向きに配置してあり、その角部で前記ホルダに接着されていることを特徴としている。また、前記光学フィルタは、正方形状に形成してあり、その互いに対向する角部で前記ホルダに接着してあることが好ましい。いずれの場合にも前記と同様に光学フィルタを接着する際に、接着剤が流れ落ちたとしても受光部に付着することはない。
【０００８】
また、前記ホルダの前記光学フィルタの接着部には、接着剤を塗付するための凹部が設けてあることが好ましい。この構成により、多量の接着剤を用いて強固な接着を得る場合にも、接着剤が流れ落ちる量は少なくなり、受光部に付着することは生じない。
【０００９】
【発明の実施の形態】
本発明の実施の一形態について、図面を参照して説明する。
【００１０】
図１に示すように、回路基板１の表面に、撮像素子２とこの撮像素子２を包囲するようにホルダ３が搭載されている。
【００１１】
ホルダ３の回路基板１に当接する側は、図２に示すように方形部３ａになっており、方形部３ａの下端面で回路基板１の表面に接着剤を用いて接着されている。方形部３ａの下端側に設けられている方形の凹部３ｂ内に、撮像素子２が嵌合保持されている。凹部３ｂの４隅には、撮像素子２を位置決めして保持するための凸部３ｃが設けてある。撮像素子２の表面には、中心から片寄った位置に受光部２ａが設けてある。この受光部２ａを中心としてその上部に、光の通路となる開口３ｄが設けてある。開口３ｄの周辺部の下面には、赤外線カットフィルタ等の光学フィルタ４を取り付けるための取付部３ｅが設けてある。取付部３ｅは図３に示すように、受光部２ａの光軸に直交する方向において、受光部２ａの向きと異なる向き、この例では４５度回転させた向きの正方形状をしており、互いに対向する一対の角部には、接着剤５を塗付するための凹部３ｆが設けられて光学フィルタ４の接着部となっている。この凹部３ｆの一方は撮像素子２に対向する位置よりも外方に位置しており、他方は受光部２ａと撮像素子２の端面との間にあるスペースに対向する位置に位置している。ホルダ３の上方の側には、開口３ｄと同心の円筒部３ｇが突出して設けてある。この円筒部３ｇの内周面には雌ねじ部３ｈが形成してある。
【００１２】
ホルダ３の上方に、レンズホルダ６が位置している。レンズホルダ６の上面には、光を導入するための開口６ａが設けてあり、下方へ向かって円筒部６ｂを突出して設けてある。円筒部６ｂの外周面には、雌ねじ部３ｈとねじ合わされる雄ねじ部６ｃが設けてある。円筒部６ｂ内にレンズ７がレンズ押え８により固着してある。レンズ７を固着したレンズホルダ６の雄ねじ部６ｃと、ホルダ３の雌ねじ部３ｈとをねじ合わせることにより、レンズホルダ６をホルダ３に連結する。
【００１３】
レンズホルダ６をホルダ３に連結した状態では、開口６ａと、レンズ７と、開口３ｄと、光学フィルタ４と、受光部２ａとは、それらの中心が光軸に一致するように設定されている。そして、雄ねじ部６ｃと雌ねじ部３ｈとの螺合量を調整することにより、レンズ７と受光部２ａとの間隔を光軸方向に微調整することができ、所謂ピントの合わせ込みが可能である。
【００１４】
また、光学フィルタ４は、受光部２ａの光軸に直交する方向において、受光部２ａの向きと異なる向きに配置してあり、この例では図２のように平面的に４５度異なる向きに配置してある。したがって光学フィルタ４をホルダ３に接着する接着部となる互いに対向する角部は、図２に示すように撮像素子２とは対向せず撮像素子２に対向する位置よりも外方に位置している。このために、光学フィルタ４をホルダ３に接着するために光学フィルタ４の前記の角部の上面に、十分に接着剤５を塗付して接着力の向上を図っても、接着剤は凹部３ｆ内に留まって光学フィルタ４の角部を強固にホルダ３に接着する。凹部３ｆから接着剤が落下したとしても、その量は少量となり、撮像素子２、特に受光部２ａ上に接着剤が付着する等の不都合は生じない。
【００１５】
撮像素子２を嵌合保持したホルダ３を回路基板１に接着する際には、撮像素子２をフリップチップ方式等で回路基板１に接着した後に、ホルダ３の下端面に図２で丸印を示しているように接着剤を塗布して回路基板１に接着して、図１に示すような固体撮像装置が構成される。
【００１６】
このように、ホルダ３の光学フィルタ４の接着部３ｆが光軸と直交する方向において撮像素子２の外方に位置しているので、光学フィルタを接着するための接着剤５が流れ落ちたとしても、受光部２ａや撮像素子２とホルダ３との位置決め箇所に付着することを防止できる。
【００１７】
また、光学フィルタ４が受光部２ａの外形よりも大きい方形であり、且つ光軸と直交する方向において受光部２ａと異なる向きに配置されて接着されるので、受光部２ａと同じ向きに配置される場合よりも、接着剤５をより受光部２ａの外方に塗布でき、受光部２ａに付着することをより確実に防止できる。
【００１８】
また、光学フィルタ４が正方形であり、且つその互いに対向する角部でホルダ２に接着されているので、接着剤５をより受光部２ａの外方に塗布でき、受光部２ａに付着することをより確実に防止できる。さらに、光学フィルタ４をホルダ２に安定して接着できる。
【００１９】
また、ホルダ２に光学フィルタ４を接着するための接着剤５を塗布する凹部３ｆが形成されているので、接着力強化のために多量の接着剤５を塗布した場合でも、接着剤５が撮像素子２に流れ落ちることを防止できる。
【００２０】
なお、本発明では、光学フィルタ４をその互いに対向する一対の角部でホルダ２に接着したが、光学フィルタ４の接着部の位置や数はこれに限るものではない。例えば、取付部３ｅの全ての角部に凹部３ｆを設け、光学フィルタ４の全ての角部を接着部としても良い。
【００２１】
【発明の効果】
本発明の固体撮像装置では、ホルダの光学フィルタの接着部を、撮像素子に対向する位置よりも外方にしてあるので、光学フィルタをホルダに接着するのに用いられる接着剤が、撮像素子の受光部上に流れ落ちて付着することを防止できる。接着部に接着剤を塗布するための凹部を設けるので、多量の接着剤を用いることができ、接着力を向上させることができる。また、接着剤が撮像素子の装着位置に付着することにより、撮像素子の正確な位置決めが妨げられることを防止できる。
【図面の簡単な説明】
【図１】本発明の実施の一形態を示す断面図である。
【図２】図１Ａ−Ａ線に沿う底面図である。
【図３】図１Ｂ−Ｂ線に沿う断面図である。
【符号の説明】
１    回路基板
２    撮像素子
２ａ  受光部
３    ホルダ
３ｆ  接着部（凹部）
【図１】
2004312571.tif 000003
【図２】
2004312571.tif 000004
【図３】
2004312571.tif 000005